(57)【要約】【課題】接着手段なしで、ミラー支持部に補強材とミラーとを固定保持すること、リサイクル、リユーズを考えた環境問題に貢献すること、および補強部材の位置ずれを防止して画像劣化を防止することができる。【解決手段】ミラー３の両端に位置するミラー位置決め部にミラー３を固定するためのＶ字又はＵ字状に屈曲した断面を有し、ミラー３を押える弾性力を発生する押え部材２と、押え部材２を支持する支持部５ａ〜５ｄとを備えるミラー固定構造に関する。押さえ部材２によりミラー３とミラー３の裏面に接触配置した補強部材４とを支持部５ａ〜５ｄに圧接固定する第１の折曲部２ｄおよび第２の折曲部２ｅを有している。第１の折曲部２ｄと第２の折曲部２ｅとの間には押さえ部材２の補強部材４と対向する面に補強部材４のミラー長手方向端面の少なくとも一部に当接する段差部２ｋを設けた。【選択図】図１
2005227575.tif 000002
【特許請求の範囲】
【請求項１】
ミラーの両端に位置するミラー位置決め部に前記ミラーを固定するためのＶ字又はＵ字状に屈曲した断面を有し、前記ミラーを押える弾性力を発生する押え部材と、該押え部材を支持する支持部とを備えるミラー固定構造において、
前記押さえ部材により前記ミラーと該ミラーの裏面に接触配置した前記補強部材とを前記支持部に圧接固定する複数の折曲部を有し、
該複数の折曲部の間には前記押さえ部材の前記補強部材と対向する面に前記補強部材のミラー長手方向端面の少なくとも一部に当接する段差部を設けたことを特徴とするミラー固定構造。
【請求項２】
ミラーの両端に位置するミラー位置決め部に前記ミラーを固定するためのＶ字又はＵ字状に屈曲した断面を有し、前記ミラーを押える弾性力を発生する押え部材と、該押え部材を支持する支持部とを備える画像形成装置において、
前記押さえ部材により前記ミラーと該ミラーの裏面に接触配置した前記補強部材とを前記支持部に圧接固定する複数の折曲部を有し、
該複数の折曲部の間には前記押さえ部材の前記補強部材と対向する面に前記補強部材のミラー長手方向端面の少なくとも一部に当接する段差部を設けたことを特徴とする画像形成装置。
【請求項３】
前記押さえ部材の屈曲部近傍に、前記ミラーの短手方向に圧接する折曲部を設けたことを特徴とする請求項２に記載の画像形成装置。
【発明の詳細な説明】
【技術分野】
【０００１】
本発明は、補強板を設けたミラーの固定構造、並びに複数のミラーにより原稿を走査して画像読み取り及び画像形成を行う画像形成装置に関するものである。
【背景技術】
【０００２】
従来、折り返しミラーを備える画像形成装置としては、特開平１１−３５２６０２号公報に開示された発明が知られている。この画像形成装置では、図６に示すように、プラテン１０１上にセットされた原稿が第１ミラー台１０２と第２ミラー台１０３によって露光・走査される。その画像情報は第１ミラー１０４、第２ミラー１０５、第３ミラー１０６、及び第４ミラー１０７によって折り返されて光電変換素子１０８上に結像される。そして、その情報に基づいてレーザービームスキャナ１１１がレーザー光を照射し、折り返しミラー１０９，１１０を介して感光ドラム１１２上に潜像を形成する。
【０００３】
図７及び図８に示すように、特開平１１−３５２６０２号の画像形成装置は、第４ミラー１０７と、第４ミラー１０７の両端に位置するミラーストッパー１１３と、第４ミラー１０７を各々のミラー位置決め部に固定するためのＶ字又はＵ字状断面を有する弾性部材であって、そのＶ字又はＵ字状断面の角度変化によってミラーを押さえる弾性力を発生するミラー押さえ部材１１４と、ミラー押さえ部材１１４を支持する支持部１１５，１１５を備える画像形成装置に関する。そして、支持部１１５のミラー押さえ部材１１４を支持する部分に突起部１１６を形成し、ミラー押さえ部材１１４の一端部にミラー押圧部である突起部１１７と第４ミラー１０７の長手方向の端面を押さえるストッパー部１１３を形成し、ミラー押さえ部材１１４の他端部に支持部１１５の突起部１１６と係合する係合孔１１８とその端部を支点としてＶ字又はＵ字型の屈曲部１１９がミラー方向に近づく方向への回転を制限する回転止め部１２０を形成している。
【０００４】
従って、この発明によれば、組み立て時等に第４ミラー１０７を長手方向にずれた状態でセットした場合であっても、ミラー押さえ部材１１４のストッパー部１１３によってミラー１０７は正規の位置に動かされて位置決めされる。また、組み付け後のミラー押さえ部材１１４はその回転止め部１２０の作用によって屈曲部１１９が第４ミラー１０７に近づく方向には回動しないため、その突起部１１７以外の部位が第４ミラー１０７に接触することはなく、第４ミラー１０７の加圧不良が発生することがない。また、装置の運搬中や稼動中の振動等のために第４ミラー１０７がその長手方向にずれようとしても、ミラー押さえ部材１１４のストッパー部１１３の作用によって第４ミラー１０７の動きが制限され、第４ミラー１０７の脱落、位置ずれ、加圧不良による振動等の問題は発生しない。
【０００５】
しかし、この発明では、補強板を固定保持できる構造にはなっていないので、ミラーキャリッジの駆動源が発生する振動が第４ミラー１０７に伝達されて画像劣化の原因となるという問題がある。
【０００６】
また、制振効果を得るためにミラー裏面に補強板を取り付けたものとして特開平８−１０６１２９号に記載された発明が知られている。この発明では、図９に示すように、ミラー２２１の光路に対する反対側の面に、平面度１００ｍＲ以上のガラス製補強板２２２を接着剤または両面テープ２２３で貼るようになっている。その効果は、簡易な手段により、ミラーの平面性を損なうことなく、制振効果を得ることができるというものである。
【０００７】
しかし、貼付位置の誤差、カケ・キズ等が規格以上に発生してしまうと、ミラーと補強板とを剥した後、ミラーと補強板とを新たに貼付けしなければならない。実際には、貼り付け前の品質を維持して剥すことは困難なため、ミラーと補強板とを破棄しなければいけない。破棄行為は、資源のリサイクル、リユーズから環境上の問題がある。
【０００８】
また、特開２０００−７５１９５号公報においては、図１０に示すように、反射ミラー保持装置が、ミラー３２４の両端を保持する保持板３２５と、ミラー３２４を押圧固定する板バネ３２６と、保持片間に掛け渡された補強部材（ワイヤ）３２７とで組み立てられたので、補強部材３２７により両側の保持片の間隔が開くことを確実に防止することができ、補強部材３２７も軽量なワイヤや板状部材を使用することができるというものである。
【０００９】
しかし、板バネの詳細説明もなく、ミラー光路に対する反対側の面から離間した補強板は示されるものの、この補強板は両側のミラー保持片の間隔が広がるのを補強するためのものであり、ミラーと補強板との間に設けた制振抑制部材を支持するものであり、制振効果を得るためには補助的機能を有するものである。したがって、制振効果を得るために補強板と制振抑制部材との少なくとも２種類の材料を必要とするものであり、資源のリサイクル時に分別を必要とするものである。さらに、ミラー裏面のごく一部に制振抑制部材を密着しているので、ミラーを薄くした場合にはミラーの撓みや熱膨張の不均一を生じる虞があるという問題がある。
【００１０】
また、従来、特開２００２−１９６２１９号公報に開示された発明として、ミラー両端側のブラケットにより支持された一体の弾性を有するブラケットにより、補強部材をミラー裏面に押さえる押さえ部材により、振動抑制効果を得るものが知られている。
【００１１】
しかし、この発明によれば、一体の弾性を有するブラケットを用いているので、取付け作業性に劣るとともに、補強部材がミラーの長手方向または短手方向に位置ずれする虞があった。
【特許文献１】特開平１１−３５２６０２号公報
【特許文献２】特開２０００−７５１９５号公報
【特許文献３】特開平８−１０６１２９号公報
【特許文献４】特開２００２−１９６２１９号公報
【発明の開示】
【発明が解決しようとする課題】
【００１２】
そこで、本発明は、接着手段なしで、ミラー支持部に補強材とミラーとを固定保持すること、リサイクル、リユーズを考えた環境問題に貢献すること、および補強部材の位置ずれを防止して画像劣化を防止することができるミラー固定構造、及び画像形成装置を提供することをその目的とする。
【課題を解決するための手段】
【００１３】
請求項１に記載の発明は、ミラーの両端に位置するミラー位置決め部に前記ミラーを固定するためのＶ字又はＵ字状に屈曲した断面を有し、前記ミラーを押える弾性力を発生する押え部材と、該押え部材を支持する支持部とを備えるミラー固定構造において、前記押さえ部材により前記ミラーと該ミラーの裏面に接触配置した前記補強部材とを前記支持部に圧接固定する複数の折曲部を有し、該複数の折曲部の間には前記押さえ部材の前記補強部材と対向する面に前記補強部材のミラー長手方向端面の少なくとも一部に当接する段差部を設けたことを特徴とするミラー固定構造である。この構成では、ミラーと補強部材とを接着剤等を使わずに組み立てることができるので、交換や、リサイクル、リユーズ等の環境面での効果が大変大きい。また、ミラー押さえ部材の屈曲部近傍に、複数の折曲部を設けたので、補強板がミラーから外れることもなく、接着剤の役目もするという効果が得られる。さらに、複数の折曲部を設けたので、補強板の厚みが厚くなっても、ミラーと補強板とを支持部に固定することができる。また、複数の折曲部の間には押さえ部材の補強部材と対向する面に補強部材のミラー長手方向端面の少なくとも一部に当接する段差部を設けたので、補強板がミラーに対してずれることなくミラーと補強板とを固定できる。
【００１４】
請求項２に記載の発明は、ミラーの両端に位置するミラー位置決め部に前記ミラーを固定するためのＶ字又はＵ字状に屈曲した断面を有し、前記ミラーを押える弾性力を発生する押え部材と、該押え部材を支持する支持部とを備える画像形成装置において、前記押さえ部材により前記ミラーと該ミラーの裏面に接触配置した前記補強部材とを前記支持部に圧接固定する複数の折曲部を有し、該複数の折曲部の間には前記押さえ部材の前記補強部材と対向する面に前記補強部材のミラー長手方向端面の少なくとも一部に当接する段差部を設けたことを特徴とする画像形成装置である。この構成では、画像形成装置のミラーと補強部材とを接着剤等を使わずに組み立てることができるので、交換や、リサイクル、リユーズ等の環境面での効果が大変大きい。また、画像形成装置のミラー押さえ部材の屈曲部近傍に、複数の折曲部を設けたので、補強板がミラーから外れることもなく、接着剤の役目もするという効果が得られる。さらに、画像形成装置のミラー押さえ部材に複数の折曲部を設けたので、補強板の厚みが厚くなっても、ミラーと補強板とを支持部に固定することができる。また、画像形成装置の押さえ部材の複数の折曲部の間には、押さえ部材の補強部材と対向する面に、補強部材のミラー長手方向端面の少なくとも一部に当接する段差部を設けたので、補強板がミラーに対してずれることなくミラーと補強板とを固定できる。
【００１５】
請求項３に記載の発明は、前記押さえ部材の屈曲部近傍に、前記ミラーの短手方向に圧接する折曲部を設けたことを特徴とする請求項１に記載の画像形成装置である。この構成では、ミラーの短手方向に圧接する折曲部を屈曲部近傍に設けたので、補強板のずれをより防止することができる。
【発明の効果】
【００１６】
本発明によれば、接着剤、両面粘着テープ等の接着手段なしで、ミラー支持部に補強材とミラーとを固定保持すること、リサイクル、リユーズを考えた環境問題に貢献すること、および補強部材の位置ずれを防止して画像劣化を防止することができる。
【発明を実施するための最良の形態】
【００１７】
以下、本発明の実施の形態を図面を参照して説明する。図１は本発明に係る一実施形態の画像形成装置に備えるミラー固定構造を示す側断面図、図２は本発明に係る一実施形態の画像形成装置に備えるミラー押さえ部材の斜視図、図３は本発明に係る一実施形態の画像形成装置に備えるミラーの斜視図、図４は本発明に係る一実施形態の画像形成装置に備える補強部材の斜視図、図５は図４の補強部材により補強された図７のミラーを示す斜視図である。
【００１８】
図１に示すように、画像形成装置１は、ミラー３の一端側を支持する支持部５ａ，５ｂと他端側を支持する支持部５ｃ，５ｄとを有し、支持部５ａ，５ｂと支持部５ｃ，５ｄとは同一の直線上に存在し、図示していない部分で一体構造となっている。
【００１９】
図２に示すように、ミラー押さえ部材２は、Ｕ字状断面形状をした板状バネである。本実施形態ではミラー押さえ部材２をＵ字状断面形状としたが、Ｖ字状断面形状であってもよい。
【００２０】
ミラー押さえ部材２は、一端側のストッパー部２ａと他端側の回転止め部２ｂとを備えている。ストッパー部２ａ側にはミラー押圧部２ｃと、第１の折曲部２ｄおよび第２の折曲部２ｅがあり、第１の折曲部２ｄおよび第２の折曲部２ｅは、屈曲部２ｆに向かって回転止め部側の板バネ部２ｇに近づくように２段階に折り曲げられている。この折曲部は本実施形態では２段階に折り曲げるようにしたが、３段階以上折り曲げるようにしてもよい。
【００２１】
屈曲部２ｆの近傍にはその両側にベロ状に折り曲げられたベロ状折曲部２ｈ，２ｈがあり、ベロ状折曲部２ｈ，２ｈはミラー押圧部２ｃと同じ側に突出し、補強部材４の短手方向に圧接または当接している。回転止め部２ｂの近接に係合孔２ｉがある。第１の折曲部２ｄの折り曲げ角度θ１と、第２の折曲部２ｅの折り曲げ角度θ２とは、後述する押さえ部材としての機能を果すときに設定できるようにしてある。ミラー押さえ部材２は、屈曲部２ｆを支点として、後述する機能を果すときにＵ字状またはＶ字状になってバネの役目を果すようになっている。
【００２２】
補強部材４はミラー３の基板材料と同一の線膨張係数を有する材料を用いることが好ましい。例えば、補強部材４を構成する材料としては、ミラー３の基板材料がガラスのときにはガラスを用い、ミラー３の基板材料がアルミニウム（またはアルミニウム合金）のときにはアルミニウム（またはアルミニウム合金）ガラスを用いる。
【００２３】
図３に示すように、ミラー３の形状は矩形をなしている。図の広い面は光路の役目を果す反射面（蒸着膜のある面）３ａと、その裏面３ｂは反射面の機能を持たない面であり、後述する補強を与える面である。
【００２４】
図４に示すように、補強部材４は、ミラー３の裏面３ｂより小さく、図３に示したミラー３と同じく矩形をなしている。図５に示すように、ミラー３の裏面３ｂの上に、補強部材４を載置する。そして、ミラー押さえ部材２を２つ用意する。
【００２５】
図１に示すように、ミラー押さえ部材のミラー押圧部２ｃは、支持部５ａ，５ｂと同一の直線上に配置されるようになっている。又ミラー押圧部２ｃは、支持部５ｃ，５ｄと同一の直線上に配置されるようになっている。
【００２６】
図７に示した従来例の支持部１１５の突起部１１６と同様に支持部５ａ，５ｂに設けられている突起部（図示せず）と係合孔２ｉは嵌め合わされ回転止め部２ｂでミラー押さえ部材２が回らないようにしてある。
【００２７】
図１に示すように、補強部材４の上面４ａには、ミラー押さえ部材２の先端近傍部分２ｊが接触し、ベロ状に折り曲げられているベロ状折曲部２ｈで補強部材４の位置出しと固定を行っている。
【００２８】
ミラー押さえ部材２によりミラー３と補強部材４が支持部５ａ〜５ｄに固定保持されている。支持部５ａ〜５ｄは、例えば、特開平１１−３５２６０２号公報に開示された技術と同様に画像形成装置本体のフレーム（図示せず）に角度と位置が調整されて固定されるか、特開２０００−７５１９５号公報、特開平８−１０６１２９号公報または特開２００２−１９６２１９号公報に開示された技術同様に移動体（図示せず）上に角度と位置が調整されて固定されている。
【００２９】
図１のミラー固定構造を組み立てるには、先ずミラー３と補強部材４を持って、支持部５ａ，５ｂと支持部５ｃ、５ｄとにミラー３を片方ずつ入れ込む。次に、一方のミラー押さえ部材２をＶ字またはＵ字形状に変形させて、ミラー３と支持部５ａとの間を通過させ、他方のミラー押さえ部材２をＶ字またはＵ字形状に変形させて、ミラー３と支持部５ｃとの間を通過させて、補強部材４の上面４ａにミラー押さえ部材２の先端近傍部分２ｊが接触し、ベロ状折曲部２ｈで補強部材４を挟み込むように取付ける。
【００３０】
このように組み立てられたミラー固定構造によれば、補強部材４の一方の長手方向端面の少なくとも一部が一方のミラー押さえ部材２の段差部２ｋに当接するとともに、他方の長手方向端面の少なくとも一部が他方のミラー押さえ部材２の段差部２ｋに当接するので、補強部材４は長手方向に位置ズレすることがない。また、補強部材４は短手方向もベロ状折曲部２ｈにより保持されるので、短手方向に位置ずれすることがない。
【００３１】
なお、本発明は上記実施形態に限定されるものではない。例えば、第１の折曲部２ｄの折り曲げ角度θ１と第２の折曲部２ｅの折り曲げ角度θ２とは、本実施形態では、ほぼ同一の角度としたが、本発明の目的を達成できれば、ほぼ同一の角度でなくてよい。また、本実施形態では、第１の折曲部２ｄの折り曲げ角度θ１と第２の折曲部２ｅの折り曲げ角度θ２とを鈍角に設定したが、共に９０度として、段差部２ｋのほぼ全面が補強部材４の長手方向端面に接触するようにしてもよい。また、第１の折曲部２ｄの折り曲げ角度θ１と第２の折曲部２ｅの折り曲げ角度θ２とを鋭角に設定してもよい。即ち、本発明の骨子を逸脱しない範囲で種々変形して実施することができる。
【図面の簡単な説明】
【００３２】
【図１】本発明に係る一実施形態の画像形成装置に備えるミラー固定構造を示す側断面図である。
【図２】本発明に係る一実施形態の画像形成装置に備えるミラー押さえ部材の斜視図である。
【図３】本発明に係る一実施形態の画像形成装置に備えるミラーの斜視図である。
【図４】本発明に係る一実施形態の画像形成装置に備える補強部材の斜視図である。
【図５】図４の補強部材により補強された図３のミラーを示す斜視図である。
【図６】第１の従来例の、折り返しミラーを備える画像形成装置を示す断面図である。
【図７】図６の画像形成装置に備えるミラー押さえ部材と該ミラー押さえ部材の支持部とを示す斜視図である。
【図８】図６の画像形成装置に備えるミラー押さえ部材の固定構造を示す側断面図である。
【図９】第２の従来例のミラー側面図である。
【図１０】第３の従来例のミラー保持装置を示す分解斜視図である。
【符号の説明】
【００３３】
１    画像形成装置
２    ミラー押さえ部材
２ａ    ストッパー部
２ｂ    回転止め部
２ｃ    ミラー押圧部
２ｄ    第１の折曲部
２ｅ    第２の折曲部
２ｆ    屈曲部
２ｇ    板バネ部
２ｈ    ベロ状折曲部
２ｉ    係合孔
２ｊ    先端近傍部分
２ｋ    段差部
３    ミラー
３ａ    反射面
３ｂ    裏面
４    補強部材
４ａ    上面
５    支持部材
５ａ〜５ｄ    支持部
【図１】
2005227575.tif 000003
【図２】
2005227575.tif 000004
【図３】
2005227575.tif 000005
【図４】
2005227575.tif 000006
【図５】
2005227575.tif 000007
【図６】
2005227575.tif 000008
【図７】
2005227575.tif 000009
【図８】
2005227575.tif 000010
【図９】
2005227575.tif 000011
【図１０】
2005227575.tif 000012